(57)【要約】      （修正有）【課題】野外での天候に耐久する墓で石材以外の木で作成しても石同等の耐久力を持たせることを可能にした木製墓を提供する。【解決手段】耐候性に乏しい木を野外で使用する為に、墓材となる木に二酸化ケイ素を主成分とした液体ガラスを含侵させる。含浸方法として墓材となる木に穴をあけ、温水に浸す事で墓材となる木に柔軟性、膨張をさせた後、常温の液体ガラスに浸す。容器には超音波振動を与える事で温度変化での墓材への吸収、気泡などの発生での含浸不良を無くし墓材となる木に、確実に耐候性を持たせる。墓材を組上げ木製墓９として利用する。【選択図】図１
2019044471.tif 000002
【特許請求の範囲】
【請求項１】
複数の木製の墓材Ａを組み合わせて成る木製墓であって、
前記１又は複数の木製の墓材Ａのそれぞれは、前記木製墓９の上下方向に貫通させた複数の導管を有し、
前記複数の導管を介して、二酸化ケイ素を主成分とした液体ガラスが、前記１又は複数の木製の墓材Ａの内部にまで含侵された、液体ガラスを含侵させた木製墓９。
【請求項２】
（１）１又は複数の木製の墓材Ａを準備するステップと、
（２）前記墓材Ａを収容するための容器を準備するステップと、
（３）前記１又は複数の木製の墓材Ａに導管を貫通させるステップと、
（４）導管を貫通させた前記１又は複数の木製の墓材Ａを、７０℃〜９０℃の温水に浸すステップと、
（５）前記温水から前記１又は複数の木製の墓材Ａを取り出すステップと、
（６）液体ガラスを準備するステップと、
（７）前記液体ガラスを別容器に注入するステップと、
（８）前記液体ガラスを注入した前記容器に、前記温水から取り出した前記１又は複数の木製の墓材Ａを浸漬するステップと、
を含む、液体ガラスを含侵させた木製墓９の製造方法。
【請求項３】
さらに、
（９）前記容器に浸漬した前記１又は複数の木製の墓材Ａに、超音波振動を与えるステップと、
（１０）前記１又は複数の木製の墓材Ａを前記容器から取り出し、空気中で乾燥させるステップと、
を含む、液体ガラスを含侵させた木製墓９の製造方法。
【発明の詳細な説明】
【技術分野】
【０００１】
本発明は、野外に設置可能な耐久性のある木製墓に関するものである。
【背景技術】
【０００２】
従来の墓は石材で建てられているものが主である。野外に設置する為、全天候に耐久出来るもの、手に入れやすいなどの理由、古来より霊が暴れる事を鎮めるなどの重石としての役割があることが伝えられている。現在では言い伝えの部分の考えは薄くなり、より多種多様の趣向に切り替わってきた。だが、野外の天候に耐えうる素材が無く、石材以外の建立は実用上不十分であった。
【０００３】
しかし、他墓材を野外で使用するには難しく、屋内であれば木製の仏像などは存在する。屋内での使用であれば、木製でも天候に左右されず劣化は最小限に抑えられるが、屋外では天候の影響により劣化しやすい材質である事から使用は出来ないという欠点があった。
【０００４】
木製墓の建立は確認されていないが、屋外使用の一般的な木製品、建造物には防腐剤や漆、有機塗料などを添加し耐久性を持たせた製品や建造物の存在がある。しかし天候による劣化は顕著で塗料のひび割れ、製品の劣化が起きる事から数年ごとの塗り替え、製品そのものの取り換えが必要である。墓に関しては本来の考え方により、先祖代々受け継がれるものであり、入れ替えなどの対応には向いていない（非特許文献１参照）。
【０００５】
この改善策として、木製墓の墓材に二酸化ケイ素などを主成分とする無機物を含浸する事で表面上の劣化は抑えることが出来るが、表面上の加工によるものから、野外での長期間の耐候性には不十分と考えられる。
【先行技術文献】
【特許文献】
【０００６】
【特許文献１】不明
【非特許文献】
【０００７】
【非特許文献１】公益社団法人 日本木材保存協会  木材保存Vol.43(2017)Ｎo.3
【発明の概要】
【発明が解決しようとする課題】
【０００８】
解決しようとする問題点は、野外に設置した木製墓を長期間、耐候性を持たせ永久的に使用できる加工が十分に出来ていない点である。
【課題を解決するための手段】
【０００９】
本発明に係る液体ガラスを含侵させた木製墓は、複数の木製の墓材を組み合わせて成る木製墓であって、前記１又は複数の木製の墓材のそれぞれは、前記木製墓の上下方向に貫通させた複数の導管を有し、前記複数の導管を介して、二酸化ケイ素を主成分とした液体ガラスが、前記１又は複数の木製の墓材の内部にまで含侵されている。
【００１０】
本発明に係る液体ガラスを含侵させた木製墓９の製造方法は、
（１）１又は複数の木製の墓材Ａを準備するステップと、
（２）前記１又は複数の木製の墓材Ａに導管を貫通させるステップと、
（３）前記墓材Ａを収容するための容器を準備するステップと、
（４）導管を貫通させた前記１又は複数の木製の墓材Ａを、７０℃〜９０℃の温水に浸すステップと、
（５）液体ガラスを準備するステップと、
（６）前記液体ガラスを前記容器に注入するステップと、
（７）前記温水から前記１又は複数の木製の墓材Ａを取り出すステップと、
（８）前記液体ガラスを注入した別容器に、前記温水から取り出した前記１又は複数の木製の墓材Ａを浸漬するステップと、
（９）前記容器に浸漬した前記１又は複数の木製の墓材Ａに、超音波振動を与えるステップと、
（１０）前記１又は複数の木製の墓材Ａを前記容器から取り出し、空気中で乾燥させるステップと、を含む。
【発明の効果】
【００１１】
本発明の木製墓は二酸化ケイ素を主成分とした液体ガラスを墓材内部にまで含侵させることで、野外での使用に耐え劣化しない木製墓を建立でき、多種多様の趣向に応える事が出来るといった利点がある。
【図面の簡単な説明】
【００１２】
【図１】本発明に係る木製墓の斜視図。
【図２】液体ガラスを含侵させる為の導管を示した斜視図。
【図３】（a）導管がない場合の液体ガラスの含侵度を示す平面図、（ｂ）導管を形成した場合の液体ガラスの含侵度を示す平面断面図。
【図４】液体ガラスを貯留した容器に被含侵物を浸漬し、これに液体ガラスを含侵させる様子を示した斜視図。
【発明を実施するための形態】
【００１３】
図１は本発明に係る木製墓９の実施例を示す。図１において木製墓９の基本形は下から地中にあるカロート部（図示せず）、芝台４、中台３、上台２、竿部１といった墓材を積み上げ構成されたものである。
【実施例１】
【００１４】
図１は、本発明に係る木製墓９の実施例である。図１に示す木製墓１０の竿部１、上台２、中台３、芝台４には、図２で表したように導管５を上下方向に貫通させる。導管５は墓材Aの周囲１０ｍｍ内部に入ったところに内周４０ｍｍ間隔で、木製墓１０の上部から下部にかけ穴を貫通させる。
【００１５】
図３（ｂ）は墓材Aに貫通させた導管５の断面を表す。導管５を貫通させた墓材Aを７０度〜９０度の温水に浸すことで、墓材Aの柔軟性が増し膨張する。
【００１６】
図４は、液体ガラスを貯留した容器に被含侵物を浸漬し、これに液体ガラスを含侵させる様子を示した斜視図である。温水に浸し膨張した墓材A（例えば芝台４、中台３、上台２、竿部１）を常温の二酸化ケイ素を主成分とした液体ガラス８を入れた容器６に浸し、容器６に超音波振動７を与え、温度変化による収縮を利用して周囲からの含侵、及び、導管５（図２参照））からの含侵が出来る。図３（ｂ）のように導管５を形成した場合は、周囲及び導管５からの含侵が出来るため  図３（a）のように導管５がない場合よりも、高い液体ガラスの含侵度を得ることができる。そのため、導管５を形成した本発明に係る木製墓９は、液体ガラス８を墓材A内部にまで含侵させることで、野外での使用に耐え劣化しない木製墓を建立することができる。
【００１７】
液体ガラス８とは二酸化ケイ素を主成分とし、無機物の液体であり空気に触れる事で反応し分子が結合する性質を持つ。
【産業上の利用可能性】
【００１８】
墓材Aに液体ガラスを含侵させることにより、墓材A以外の耐候性が必要な飾りとなるものにも適用できる。
【符号の説明】
【００１９】
１    竿部
２    上台
３    中台
４    下台
５    導管
６    容器
７    超音波振動
８    液体ガラス
９  本発明に係る木製墓
【図１】
2019044471.tif 000003
【図２】
2019044471.tif 000004
【図３】
2019044471.tif 000005
【図４】
2019044471.tif 000006